(57)【特許請求の範囲】
【請求項１】
外箱内に支持された水槽内に、上面を開口した洗濯兼脱水槽を回転自在に配設し、該洗濯兼脱水槽の上部にバランサーを、該洗濯兼脱水槽内の底部に回転翼をそれぞれ配設し、乾燥工程時に前記洗濯兼脱水槽内に温風を供給する温風供給手段を設け、洗濯物から蒸発した水分を凝縮回収する除湿手段を設けた洗濯乾燥機において、前記除湿手段は水槽の内壁面と洗濯兼脱水槽の外壁面との間の隙間空間を除湿空間として、該除湿空間の上方に冷却水の給水部を設け、該給水部には冷却水をバランサーの外側面に当たるように給水する給水口を形成したことを特徴とする洗濯乾燥機。
【請求項２】
給水口は、上方の供給部から冷却水を受ける受水部に設けられ、該受水部には冷却水をバランサー外側面に導くよう、バランサーに最も遠い箇所に通水用の開口を設けたリブを給水口の周縁に突出したことを特徴とする請求項１記載の洗濯乾燥機。
【請求項３】
受水部はリブに設けた開口の側に向かって下方に傾斜する傾斜面に形成したことを特徴とする請求項２記載の洗濯乾燥機。
【請求項４】
給水口にはリブに設けた開口の位置で下方に向けて水の案内板を突設し、該案内板の下部はバランサーの外側面に向かう湾曲部に形成したことを特徴とする請求項１から請求項３のいずれかに記載の洗濯乾燥機。
【請求項５】
案内板は湾曲部の最先端を下方に傾斜する小さな曲面部に形成したことを特徴とする請求項４記載の洗濯乾燥機。
【発明の詳細な説明】
【０００１】
【発明の属する技術分野】
本発明は、洗濯乾燥運転の乾燥工程において洗濯兼脱水槽内に温風を供給して洗濯物を乾燥し、蒸発した水分を水として回収する洗濯乾燥機に関するものである。
【０００２】
【従来の技術】
洗濯兼脱水槽内に収容した洗濯物に温風を効率よく接触させて乾燥し、蒸発した水分を水として回収する洗濯乾燥機が、例えば、特開平６−３２７８９６号公報に開示されている。図４は、この特開平６−３２７８９６号公報に開示の洗濯乾燥機の構造図であり、図において１は外箱、２はこの外箱１の上部に配設し洗濯物出し入れ用の開口部３を設けたトッブカバーで、蓋４により開口部３の開閉を可能としている。
【０００３】
５は外箱１内に洗濯液・濯ぎ液を溜める水漕で、防振装置（図示せず）により外箱１に揺動自在に支持されている。６は水槽５内に回転自在に配設され、複数の脱水孔６ａを周壁面に穿設した洗濯兼脱水槽、７は洗濯兼脱水槽６の底面に回転自在に配設する回転翼、８は水槽５の外側底部に配設され回転翼７および洗濯兼脱水槽６の回転の駆動力を提供する駆動装置であり、駆動力を発生させるモータ９と、その駆動力を滅速して伝達するモータプーリ１０とベルト１１で連結している主軸プーリー１２と、ギアー装置１４と、このギアー装置１４への駆動力を切り替えるクラッチ装置１３とで構成される。
【０００４】
１５は洗濯兼脱水槽６の上端部周縁に取り付けられ、脱水工程における洗濯兼脱水槽６の振動を低減させるリング状のバランサー、１６は水槽５の上端からバランサー１５の上方を覆うように配設し、洗濯兼脱水槽６の回転による水の飛び散りを押さえるリング状の水槽カバー、１７はトップカバー２に設け、水槽５内に洗濯水・濯ぎ水を供給するホース接続口、１８は水槽５の底部に接続した排水管に設けた排水弁である。
【０００５】
１９は外箱１内のトップカバー２と水槽カバー１６との問に形成される空間に設けた温風発生装置であり、送風機２０とヒータ２１とで構成し、乾燥工程時に送風機２０で空気流を発生し、この空気流をヒータ２１で加熱して洗濯兼脱水槽６内に温風２２を送風する。２３は一端を水槽カバー１６、他端を温風発生装置１９に接続し、温風発生装置１９と水槽５とを連通させる可撓性のあるダクトである。
【０００６】
２４は温風逆流遮断部材で、中央に三角形状の突起２５を形成し、この突起２５の上下に可撓性のある薄板２６を設けたものであり、水槽５の内周面に洗濯兼脱水槽６と隙間を維持するように突設して、洗濯兼脱水槽６と水槽５との隙間空間Ａを通過する水を円滑に連動し空気流は遮断する構成となっている。
【０００７】
２７は一端に出口２８、他端にバルブ板２９を有するオーバーフロー管、３０は温風発生装置１９と連通する除湿装置で、バルブ板２９部に除湿装置３０と連通する排気ダクト３１を接続し、オーバーフロー管２７の出口２８を排水弁１８に接続して排水弁１８と除湿装置３０とを連通させる。
【０００８】
３２はリング状の水槽カバー１６の中心開口部を塞ぐ内蓋、７ａは回転翼７に形成した回転翼通気孔、３３は洗濯兼脱水槽６の内底部に形成した通気孔である。
【０００９】
次に、洗い、濯ぎ、脱水の各工程終了後に設定された乾燥工程の動作について説明する。送風機２０とヒータ２１とが作動することにより、温風が発生してダクト２３から洗濯兼脱水槽６の内部へと吹き出す。この場合、温風は水槽カバー１６の下面と洗濯兼脱水槽６の上端との間の隙間空間Ｂへと流れて、隙間空間Ｂからは洗濯兼脱水槽６内へと直接送風される。
【００１０】
洗濯兼脱水槽６内に入り込んだ温風は、脱水工程が終了して洗濯兼脱水槽６内の回転翼７の上にある水分を含んだ洗濯物と直接接触し、これを乾燥させる。
【００１１】
洗濯物に含まれた水分を奪って湿度の高くなった温風は、洗濯兼脱水槽６の底部に形成された通気孔３３を通過して水槽５と洗濯兼脱水槽６との隙間空間Ａに流れ込むが、温風逆流遮断部材２４により上方への流れが阻止されるため、下向きの空気流として排水管内を排水弁１８へと流れ、出口２８からオーバーフロー管２７、排気ダクト３１を経て、除湿装置３０へ案内される。
【００１２】
湿度の高くなった温風２２ａは除湿装置３０で冷却・凝縮されて、再び温風発生装置１９から温風２２となって洗濯兼脱水槽６内へと送風される。以上の動作を所定時間実施して洗濯物を乾かす乾燥工程を行う。
【００１３】
なお、ダクト２３より吹き出された温風は水槽５と洗濯兼脱水槽６との空間Ａにも流れ込むが、温風逆流遮断部材２４によって下方への流れが阻止され、洗濯兼脱水槽６内に有効に供給される。
【００１４】
【発明が解決しようとする課題】
前記のような洗濯乾燥機では洗濯兼脱水槽６と水槽５との間の隙間空間Ａに温風逆流遮断部材２４を設けることによって、乾燥工程において洗濯物と熱交換された空気が洗濯兼脱水槽６と水槽５との間の隙間空間Ａを通じて上向きに逆流動して新たに水槽５内に供給された温風と混合するのを防ぎ、この熱交換された空気流が排水弁１８の出口２８からオーバーフロー管２７、排気ダクト３１を経て、除湿装置３０へ案内され、水分を凝縮除去されるものであるが、オーバーフロー管２７、排気ダクト３１などの除湿機構への空気流路は、複雑な構成であるという構造的な問題があった。
【００１５】
さらに、衣類のアンバランス等により水槽５が搖動するため、これに連通するダクト２３、排気ダクト３１は可撓性部材で作られるが、搖動による材料の磨耗や、揺れが非常に大なる場合にはこれを吸収することができず接続部の外れや部品の破壊につながる場合がある。
【００１６】
また、複雑な風路の引回しとなるため、圧力損失が大きくなり大きな送風機が必要となり、コスト高にもなる。
【００１７】
本発明の目的は前記従来例の不都合を解消し、洗濯兼脱水槽内に収容された洗濯物に乾燥用の温風を接触させて乾燥を行い、この乾燥工程における洗濯物から蒸発する水分を特に除湿のための流路を格別に設けずに簡単な構造で、効率よく確実に回収できる低コストで、しかも、除湿のために使用する冷却水が洗濯兼脱水槽内に流入することを確実に防止できて洗濯兼脱水槽内の乾燥した衣類が冷却水で濡れることもない洗濯乾燥機を提供することにある。
【００１８】
【課題を解決するための手段】
本発明は前記目的を達成するため、第１に、外箱内に支持された水槽内に、上面を開口した洗濯兼脱水槽を回転自在に配設し、該洗濯兼脱水槽の上部にバランサーを、該洗濯兼脱水槽内の底部に回転翼をそれぞれ配設し、乾燥工程時に前記洗濯兼脱水槽内に温風を供給する温風供給手段を設け、洗濯物から蒸発した水分を凝縮回収する除湿手段を設けた洗濯乾燥機において、前記除湿手段は水槽の内壁面と洗濯兼脱水槽の外壁面との間の隙間空間を除湿空間として、該除湿空間の上方に冷却水の給水部を設け、該給水部には冷却水をバランサーの外側面に当たるように給水する給水口を形成したので、洗濯乾燥機に備わっている隙間空間を利用することにより、除湿のためのダクトなどを別途格別に設ける必要がなく、除湿機構を簡単な構造に形成できる。
【００１９】
また、洗濯兼脱水槽の上部にはバランサーが備えられ、該バランサー外側面に当たるように冷却水を供給するようにしたから、この冷却水が洗濯兼脱水槽内に飛散して流入することがなく、洗濯兼脱水槽内の乾燥した衣類に冷却水がかかることがない。
【００２０】
第２に、給水口は、上方の供給部から冷却水を受ける受水部に設けられ、該受水部には冷却水をバランサー外側面に導くよう、バランサーに最も遠い箇所に通水用の開口を設けたリブを給水口の周縁に突出したから、受水部に供給された冷却水はリブにより受水部上での流れが規制され、リブに形成した開口の箇所からのみ給水口に流入する。よって、給水口から下方に流れ出る冷却水は、バランサーに最も遠い箇所に位置する開口を有するリブによってバランサー外側面の方向に流出方向が規制される。
【００２１】
第３に、受水部はリブに設けた開口の側に向かって下方に傾斜する傾斜面に形成したことにより、上方の供給部から受水部に供給された冷却水は受水部を傾斜面にそって開口の方向に確実に流れるから、この開口から給水口に冷却水が確実に流れ出る。
【００２２】
第４に、給水口にはリブに設けた開口の位置で下方に向けて水の案内板を突設し、該案内板の下部はバランサーの外側面に向かう湾曲部に形成したから、給水口から下方に流れる冷却水は案内板の湾曲部のカーブにそって流れ、バランサーの外側面に確実に供給される。
【００２３】
第５に、案内板は湾曲部の最先端を下方に傾斜する曲面部に形成したから、前記のようにして案内板にそって流れる冷却水は、最後に該案内板の最先端の小さな曲面部にそって流れることにより、吐出の最先端でバランサーの外側面に滑らかに向かうように流下方向が規制される。
【００２４】
【発明の実施の形態】
以下、図面について本発明の実施の形態を詳細に説明する。図１は本発明の洗濯乾燥機の実施形態を示す全体の縦断側面図で、図４について既に説明した従来例と同一の構成要素には同一の参照符号を付してある。
【００２５】
本発明の洗濯乾燥機も洗濯機として機能する全体構成は従来と同様であり、図において１は外箱、２はこの外箱１の上部に配設し洗濯物出し入れ用の開口部３を設けたトップカバーで、蓋４により開口部３の開閉を可能としている。
【００２６】
５は外箱１内に洗濯液・濯ぎ液を溜める水槽で、防振装置（図示せず）により外箱１に揺動自在に支持されている。６は水槽５内に回転自在に配設され、複数の脱水孔６ａを周壁面に穿設した洗濯兼脱水槽、７は洗濯兼脱水槽６の底面に回転自在に配設する回転翼、８は水槽５の外側底部に配設され回転翼７および洗濯兼脱水槽６の回転の駆動力を提供する駆動装置であり、駆動力を発生させるモータ９と、その駆動力を減速して伝達するモータプーリ１０とベルト１１で連結している主軸プーリー１２と、ギアー装置１４と、このギアー装置１４への駆動力を切り替えるクラッチ装置１３とで構成される。
【００２７】
１５は洗濯兼脱水槽６の上端部周縁に取り付けられ、脱水工程における洗濯兼脱水槽６の振動を低減させるリング状のバランサー、１６は水槽５の上端からバランサー１５の上方を覆うように配設し、洗濯兼脱水槽６の回転による水の飛び散りを押さえるリング状の水槽カバー、１８は水槽５の底部に設けられ、排水ホース４０を接続した排水弁、３２は乾燥工程時に水槽５を密閉し、洗濯物の出し入れのために開閉可能とする内蓋、３９は洗濯兼脱水槽６の内壁に設けたバッフルである。
【００２８】
１９はトップカバー２と水槽カバー１６との間に形成される空間に設けた温風発生装置であり、ヒーターケース１９ａ内にモータ２０ａで駆動する送風ファン２０ｂによる送風機２０とヒータ２１とを配設し、該ヒーターケース１９ａに一体に形成した送風ダクト３４の下端に形成した温風の排気口３５を内蓋３２に形成した温風の吸気口３６と離間状態で対向させる。
【００２９】
また、洗濯兼脱水槽６と水槽５との間の隙間空間４１の上方位置に水槽５の側からの温風の排気口３７を、前記ヒーターケース１９ａに形成した温風の吸気口３８の下方に離間状態で対向させて開口する。
【００３０】
この場合、ヒーターケース１９ａ内で送風ファン２０ｂは前記吸気口３８の上方に位置し、その下流側にヒータ２１が配設されることになる。
【００３１】
洗濯兼脱水槽６と水槽５との間の隙間空間４１を除湿空間として、ここに除湿機構４５を設ける。除湿機構４５は、一例として図１に示すように外箱１の上部のトップカバー２などの静止部に冷却水の給水部として、注水孔を有する供給部４６を設け、その下方位置で、かつ、洗濯兼脱水槽６の上端縁に配設してあるバランサー１５の上面と対向する位置に、前記供給部４６と離間させて、冷却水を受ける受水部４７を水槽カバー１６に設けた。
【００３２】
該受水部４７は底部を平板状の傾斜部４７ａに形成し、その最下端に平面方形の給水口４８を形成した。この場合、給水口４８の形成位置は図２、図３に示すようにバランサー１５上方でその外側部より外方に位置させる。
【００３３】
この給水口４８の周縁には、受水部４７の上面に位置させてリブ４９を方形に突設し、該リブ４９のバランサー１５に最も遠い箇所である方形の一辺を切欠いてここに通水用の開口５０を設けた。
【００３４】
さらに、給水口４８にはリブ４９に設けた開口５０の位置で下方に向けて板状の水の案内板５１を突設し、該案内板５１の下部はバランサー１５の外側面に向かう湾曲部５１ａに形成し、該湾曲部５１ａの最先端をさらに下方に傾斜する小さな曲面部５１ｂに形成した。
【００３５】
次に、洗い、濯ぎ、脱水の各工程終了後に設定された乾燥工程の動作について説明する。送風ファン２０ｂとヒータ２１とが作動することにより、ヒーターケース１９ａ内の空気が加熱されて、温風が発生して送風ダクト３４の下端の排気口３５から温風が水槽５の側の吸気口３６に向かって吹き出し、温風が洗濯兼脱水槽６の内部へと供給される。
【００３６】
この場合、吸気口３６は排気口３５の直下の対向位置にあるから、温風を効率よく排気口３５から吸気口３６に送ることができ、温風の漏れを防止できる。さらに、排気口３５と吸気口３６とは離間して非接触状態にあるから、水槽５が揺れても、ヒーターケース１９ａが配設されている静止部分であるトップカバーに影響することはない。
【００３７】
洗濯兼脱水槽６内に吹き出された温風は、脱水工程が終了して洗濯兼脱水槽６の回転翼７上にある水分を含んだ洗濯物と直接接触し、これを乾燥させる。洗濯物に含まれた水分を奪って多湿となった温風は、洗濯兼脱水槽６の底部に形成された通気孔や脱水孔６ａを経て水槽５と洗濯兼脱水槽６との隙間空間４１に流れ込む。
【００３８】
この隙間空間４１は除湿空間であり、洗濯物に含まれた水分を奪って多湿となった温風はここで水分が回収される。その方法の一例を次に説明すると、冷却水の供給部４６に例えば水道水を注入し、底部の注水孔から下方の受水部４７に冷却水として供給する。
【００３９】
受水部４７に供給された冷却水は底面の傾斜部４７ａを傾斜にそって給水口４８の方向に流れる。このとき、給水口４８の周囲にはリブ４９が突出しているから、このリブ４９に当たった冷却水はリブ４９の周囲にそって流れ、開口５０に至り、ここから給水口４８に流入する。
【００４０】
給水口４８に流入した冷却水は、下方に突出している案内板５１の湾曲部５１ａの傾斜にそって流れ、その先端の小さな曲面部５１ｂのカーブにそって隙間空間４１内に流出する。このとき、案内板５１はバランサー１５の外側面から最も離れた位置でその上方の隙間空間４１内でバランサー１５の方向に向かって位置しているから、案内板５１の先端から流下する冷却水はバランサー１５の外側面に向かって吐出し、バランサー１５の外側面に当たる。
【００４１】
よって、隙間空間４１内の水分を含んだ温風に冷却水が接触して温風を直接冷却することにより、または、隙間空間４１の周囲の洗濯兼脱水槽６の側壁や水槽５の側壁を冷却水で冷却することにより温風が冷却されて、温風に含まれている水分が凝縮して回収される。
【００４２】
そして、前記のように隙間空間４１内に落下する冷却水は、給水口４８の斜め下方の位置にある洗濯兼脱水槽６のバランサー１５の外側面に当たるから、冷却水は洗濯兼脱水槽６の回転を利用して除湿空間である隙間空間４１の方向に飛ばすことができる。
【００４３】
しかも、冷却水の滴下位置がバランサー１５の外側面となるように給水口４８を形成したから、ここに滴下した冷却水が洗濯兼脱水槽６の内部に流れることはなく、洗濯兼脱水槽６内の乾燥した洗濯物に冷却水がかかることを防げる。
【００４４】
なお、上記実施例では好適な一例としてバランサー１５の外側面に当たるように冷却水を供給するものを示したが、これに限定されるものではなく、例えば洗濯兼脱水槽６の上部に脱水孔６ａを設けないような場合、洗濯兼脱水槽６の上部外側面に当たるように供給しても同様の効果が得られることは言うまでもない。
【００４５】
【発明の効果】
以上述べたように本発明の洗濯乾燥機は、第１に、外箱内に支持された水槽内に、上面を開口した洗濯兼脱水槽を回転自在に配設し、該洗濯兼脱水槽の上部にバランサーを、該洗濯兼脱水槽内の底部に回転翼をそれぞれ配設し、乾燥工程時に前記洗濯兼脱水槽内に温風を供給する温風供給手段を設け、洗濯物から蒸発した水分を凝縮回収する除湿手段を設けた洗濯乾燥機において、前記除湿手段は水槽の内壁面と洗濯兼脱水槽の外壁面との間の隙間空間を除湿空間として、該除湿空間の上方に冷却水の給水部を設け、該給水部には冷却水を洗濯兼脱水槽のバランサー外側面に当たるように給水する給水口を形成したことにより、まず、洗濯乾燥機に備わっている隙間空間を利用することにより、除湿のためのダクトなどを別途格別に設ける必要がなく、除湿機構を簡単な構造に形成できる。
【００４６】
また、該バランサー外側面に当たるように冷却水を供給するようにしたから、この冷却水が洗濯兼脱水槽内に飛散して流入することがなく、洗濯兼脱水槽内の乾燥した衣類に冷却水がかかることがない。
【００４７】
第２に、給水口は、上方の供給部から冷却水を受ける受水部に設けられ、該受水部には冷却水をバランサー外側面に導くよう、バランサーに最も遠い箇所に通水用の開口を設けたリブを給水口の周縁に突出したから、受水部に供給された冷却水はリブにより受水部上での流れが規制され、リブに形成した開口の箇所からのみ給水口に流入する。よって、給水口から下方に流れ出る冷却水は、バランサーに最も遠い箇所に位置する開口を有するリブによってバランサー外側面の方向に流出方向が規制される。
【００４８】
第３に、受水部はリブに設けた開口の側に向かって下方に傾斜する傾斜面に形成したことにより、上方の供給部から受水部に供給された冷却水は受水部を傾斜面にそって開口の方向に確実に流れるから、この開口から給水口に冷却水が確実に流れ出る。
【００４９】
第４に、給水口にはリブに設けた開口の位置で下方に向けて水の案内板を突設し、該案内板の下部はバランサーの外側面に向かう湾曲部に形成したから、急須位口から下方に流れる冷却水は案内板の湾曲部のカーブにそって流れ、バランサーの外側面に確実に供給される。
【００５０】
第５に、案内板は湾曲部の最先端を下方に傾斜する曲面部に形成したから、前記のようにして案内板にそって流れる冷却水は、最後に該案内板の最先端の小さな曲面部にそって流れることにより、吐出の最先端でバラーサーの外側面に滑らかに向かうように流下方向が規制される。
【図面の簡単な説明】
【図１】本発明の洗濯乾燥機の実施形態を示す縦断側面図である。
【図２】本発明の洗濯乾燥機の要部の縦断側面図である。
【図３】本発明の洗濯乾燥機の要部の平面図である。
【図４】従来の洗濯乾燥機の縦断側面図である。
【符号の説明】
１  外箱、 ２  トップカバー、 ３  開口部、４  蓋、 ５  水槽、 ６  洗濯兼脱水槽、６ａ  脱水孔、 ７  回転翼、 ７ａ  回転翼通気孔、８  駆動装置、 ９  モータ、 １０  モータプーリ、１１  ベルト、 １２  主軸プーリ １３  クラッチ装置、１４  ギアー装置、 １５  バランサー、 １６  水槽カバー、１７  ホース接続口、 １８  排水弁、 １９  温風発生装置、１９ａ  ヒーターケース、２０  送風機、 ２０ａ  モータ、２０ｂ  送風ファン、 ２１  ヒータ、 ２２  温風、２２ａ  湿度の高い温風、２３  ダクト、 ２４  温風逆流遮断部材、２５  突起、 ２６  薄板、 ２７  オーバーフロー管、２８  出口、 ２９  バルブ板、 ３０  除湿装置、３１  排気ダクト、 ３２  内蓋、 ３３  通気孔、３４  送風ダクト、 ３５  排気口、 ３６  吸気口、３７  排気口、 ３８  吸気口、 ３９  バッフル、４０  排水ホース、 ４１  隙間空間、 ４５  除湿機構、４６  供給部、 ４７  受水部、 ４７ａ  傾斜部、４８  給水口、 ４９  リブ、 ５０  開口、５１  案内板、 ５１ａ  湾曲部、 ５１ｂ  曲面部
【図１】
0004018233.tif 000002
【図２】
0004018233.tif 000003
【図３】
0004018233.tif 000004
【図４】
0004018233.tif 000005